(57)【要約】【課題】  クリップ手段でもエアバッグ膨張時における車体への十分な取付強度を確保することができる自動車の側突用エアバッグ装置を提供する。【解決手段】  クリップ手段１６が通常状態でサイドルーフレール１の係止開口９に対して係合・離脱自在な係合力であるため、エアバッグモジュール４の車体への取付け作業や、メンテナンス時の取外し作業が容易である。また、展開時にエアバッグ５を下方へ引っ張る引張力Ｆがクリップ手段１６に伝達されて、クリップ手段１６の係合幅Ｄが広がり係止開口９に対する係合力が増加するため、エアバッグ５の膨張時における車体への十分な取付強度も確保することができる。【選択図】        図５
2005219524.tif 000002
【特許請求の範囲】
【請求項１】
車体側に位置する剛性を有するベース部材と、ベース部材の車室内側に取付けられた可撓性を有するカバー部材との間に、折りたたみ状態のエアバッグを収納して車体の前後方向に沿ったエアバッグモジュールを形成し、該エアバッグモジュールを、ベース部材の長手方向に複数形成されたクリップ手段を乗員頭部付近に位置する車体内壁の対応位置に形成された係止開口に係合させることにより、車体内壁に取付け、自動車の側面衝突時に膨張したエアバッグがカバー部材を押し開きながら下方へ向けてカーテン状に展開する自動車の側突用エアバッグ装置であって、
前記クリップ手段は、通常状態で係止開口に対して係合・離脱自在な係合力であると共に、該クリップ手段にはベース部材の引出開口から引き出されたエアバッグの一部が係合され、エアバッグの展開時にエアバッグを下方へ引っ張る引張力が加わった場合に、その引張力がエアバッグの一部を介してクリップ手段に伝達されて、クリップ手段の係止開口に対する係合力が増加することを特徴とする自動車の側突用エアバッグ装置。
【請求項２】
請求項１に記載の自動車の側突用エアバッグ装置であって、
クリップ手段は、樹脂製のベース部材の引出開口を挟んだ状態で且つ前後方向でオフセットした状態で一体形成された一対のクリップから構成され、
各クリップは互いに他方のクリップを越えて反対側に突出した突起部を有しており、各突起部の先端間の係合幅は係止開口の幅よりも大で、
ベース部材の引出開口からはエアバッグの端部から延長形成した２枚の引出片が引出され、該引出片にそれぞれ形成された係合孔が、各クリップの基端部に係合され、
エアバッグの展開時にエアバッグを下方へ引っ張る引張力が加わった場合に、その引張力が引出片の係合孔を介して各クリップの基端部に加わり、各クリップが互いに接近する方向へ傾くことにより、各クリップにおける突起部の先端間の係合幅が拡大することを特徴とする自動車の側突用エアバッグ装置。
【請求項３】
請求項２に記載の自動車の側突用エアバッグ装置であって、
突起部が三角形状で、該突起部の先端を形成する二辺が、係止開口の縁部に対して、係合方向及び離脱方向においてそれぞれ斜めに当接することを特徴とする自動車の側突用エアバッグ装置。
【請求項４】
請求項２又は請求項３に記載の自動車の側突用エアバッグ装置であって、
クリップの基端部に、引出片の係合孔周辺を押さえ込むボス部を形成したことを特徴とする自動車の側突用エアバッグ装置。
【請求項５】
請求項１〜４のいずれか１項に記載の自動車の側突用エアバッグ装置であって、
カバー部材が内装材を兼用していることを特徴とする自動車の側突用エアバッグ装置。
【発明の詳細な説明】
【技術分野】
【０００１】
本発明は自動車の側突用エアバッグ装置に関するものである。
【背景技術】
【０００２】
車体の車室内側における乗員頭部付近のサイドルーフレール（車体内壁）には、前後方向に沿ってエアバッグモジュールが取付けられている。エアバッグモジュールは、剛性の高いベース部材と、該ベース部材の車室内側に取付けられた可撓性を有するカバー部材との間に、折り畳み状態のエアバッグを収納した構造になっている。内部のエアバッグは複数箇所が樹脂製のベルト部材により束ねられ、そのベルト部材をベース部材ごとサイドルーフレールに対してボルトで共締めすることにより、エアバッグモジュールは車体に対して取付けられる。
【０００３】
そして、自動車の側面衝突時には、膨張したエアバッグがベルト部材を切断し、且つカバー部材を押し開きながら下方へ向けてカーテン状に展開し、乗員の頭部を保護するようになっている（例えば、特許文献１。）。
【特許文献１】特開平９−２４０４０９号公報
【発明の開示】
【発明が解決しようとする課題】
【０００４】
しかしながら、このような従来の技術にあっては、エアバッグモジュールをボルトにより車体に固定する構造のため、エアバッグ膨張時の車体に対する取付強度は高いが、エアバッグモジュールを最初に車体に対して取付ける作業や、メンテナンスのためにエアバッグモジュールを車体から取外す際の作業が面倒である。
【０００５】
エアバッグモジュールを、クリップ手段により車体に取付ける構造にすれば、車体への取付け作業や取外し作業が容易になるが、そうすると、今度はエアバッグ膨張時の車体に対する本来的な取付強度が確保できなくなる。
【０００６】
本発明は、このような従来の技術に着目してなされたものであり、クリップ手段でもエアバッグ膨張時における車体への十分な取付強度を確保することができる自動車の側突用エアバッグ装置を提供するものである。
【課題を解決するための手段】
【０００７】
請求項１に記載の発明は、車体側に位置する剛性を有するベース部材と、ベース部材の車室内側に取付けられた可撓性を有するカバー部材との間に、折りたたみ状態のエアバッグを収納して車体の前後方向に沿ったエアバッグモジュールを形成し、該エアバッグモジュールを、ベース部材の長手方向に複数形成されたクリップ手段を乗員頭部付近に位置する車体内壁の対応位置に形成された係止開口に係合させることにより、車体内壁に取付け、自動車の側面衝突時に膨張したエアバッグがカバー部材を押し開きながら下方へ向けてカーテン状に展開する自動車の側突用エアバッグ装置であって、前記クリップ手段は通常状態で係止開口に対して係合・離脱自在な係合力であると共に、該クリップ手段にはベース部材の引出開口から引き出されたエアバッグの一部が係合され、エアバッグの展開時にエアバッグを下方へ引っ張る引張力が加わった場合に、その引張力がエアバッグの一部を介してクリップ手段に伝達されて、クリップ手段の係止開口に対する係合力が増加することを特徴とする。
【０００８】
請求項２に記載の発明は、クリップ手段は、樹脂製のベース部材の引出開口を挟んだ状態で且つ前後方向でオフセットした状態で一体形成された一対のクリップから構成され、各クリップは互いに他方のクリップを越えて反対側に突出した突起部を有しており、各突起部の先端間の係合幅は係止開口の幅よりも大で、ベース部材の引出開口からはエアバッグの端部から延長形成した２枚の引出片が引出され、該引出片にそれぞれ形成された係合孔が、各クリップの基端部に係合され、エアバッグの展開時にエアバッグを下方へ引っ張る引張力が加わった場合に、その引張力が引出片の係合孔を介して各クリップの基端部に加わり、各クリップが互いに接近する方向へ傾くことにより、各クリップにおける突起部の先端間の係合幅が拡大することを特徴とする。
【０００９】
請求項３に記載の発明は、突起部が三角形状で、該突起部の先端を形成する二辺が、係止開口の縁部に対して、係合方向及び離脱方向においてそれぞれ斜めに当接することを特徴とする。
【００１０】
請求項４に記載の発明は、クリップの基端部に、引出片の係合孔周辺を押さえ込むボス部を形成したことを特徴とする。
【００１１】
請求項５に記載の発明は、カバー部材が内装材を兼用していることを特徴とする。
【発明の効果】
【００１２】
請求項１に記載の発明によれば、クリップ手段が通常状態で車体内壁の係止開口に対して係合・離脱自在な係合力であるため、車体への取付け作業や、メンテナンス時の取外し作業が容易である。また、エアバッグの展開時にエアバッグを下方へ引っ張る引張力がクリップ手段に伝達されて、クリップ手段の係止開口に対する係合力が増加するため、エアバッグ膨張時における車体への十分な取付強度も確保することができる。
【００１３】
請求項２に記載の発明によれば、２本のクリップで構成されたクリップ手段における各突起部の先端間の係合幅が、車体内壁の係止開口よりも大のため、車体への取付け作業や、メンテナンス時の取外し作業が容易である。また、エアバッグの展開時にエアバッグを下方へ引っ張る引張力が加わると、その引張力が各クリップの基端部に加わり、各クリップが互いに接近する方向へ傾くため、突起部の先端間の係合幅が拡大して、クリップ手段の係止開口に対する係合力が増加し、エアバッグ膨張時における車体への係合力が増加する。
【００１４】
請求項３に記載の発明によれば、突起部が三角形状で、該突起部の先端を形成する二辺が、係止開口の縁部に対して、係合方向及び離脱方向においてそれぞれ斜めに当接するため、クリップ手段をそのまま係止開口に挿入したり、或いは係止開口から引き抜いたりするだけで、クリップ手段の係合幅が変化し、車体への取付け作業や、メンテナンス時の取外し作業が更に容易になる。
【００１５】
請求項４に記載の発明によれば、クリップの基端部に形成したボス部により、引出片の係合孔周辺を押さえ込むことができるため、クリップの基端部に対する引出片の位置ずれが防止され、引張力をクリップの基端部に対して確実に及ぼすことができる。
【００１６】
請求項５に記載の発明によれば、カバー部材が内装材を兼用しているため、エアバッグモジュールを更に車室内側から内装材で覆う必要がなく、内装材の車室内側への突出量が減り、乗員頭部付近の車室内空間を広く確保することができる。
【発明を実施するための最良の形態】
【００１７】
クリップ手段でもエアバッグ膨張時における車体への十分な取付強度を確保することができる自動車の側突用エアバッグ装置を提供する、という目的を、クリップ手段が通常状態で係止開口に対して係合・離脱自在な係合力であると共に、該クリップ手段にはベース部材の引出開口から引き出されたエアバッグの一部が係合され、エアバッグの展開時にエアバッグを下方へ引っ張る引張力が加わった場合に、その引張力がエアバッグの一部を介してクリップ手段に伝達されて、クリップ手段の係止開口に対する係合力が増加することで、実現した。
【実施例１】
【００１８】
以下、本発明の一実施例を図１〜図１２に基づいて説明する。図１は、自動車の上部を車室内側から見た図で、乗員Ｍの頭部付近の高さに位置するサイドルーフレール（車体内壁）１には、フロントピラー２からリヤピラー３にかけて、前後方向に沿うエアバッグモジュール４が連続した状態で設置されている。図２は、エアバッグモジュール４からエアバッグ５が下方へ展開した状態を示している。
【００１９】
エアバッグモジュール４は、図３に示すように、ベース部材６と、そのベース部材６の車室内側に取付けられたカバー部材７との間に、折り畳み状態のエアバッグ５を収納した構造をしている。エアバッグ５の後端には、リヤピラー３部分に設置されたインフレータ８が接続されている。
【００２０】
エアバッグモジュール４が取付けられるサイドルーフレール１には、前後方向に沿って複数の係止開口９が形成されている。
【００２１】
ベース部材６は剛性を有するポリプロピレン製で、断面Ｌ形をしている。ベース部材６の材料としては、剛性を有するものであれば良く、ポリプロピレンの他にもポリプロピレンの複合材やＡＢＳ等の合成樹脂を用いることができる。ベース部材６の係止開口９に対応する部分には、引出開口１０がそれぞれ形成されている。その引出開口１０部分には、引出開口１０を挟んだ状態で且つ前後方向でオフセットした状態のクリップ１１ａ、１１ｂが一対形成されている。
【００２２】
クリップ１１ａ、１１ｂは互いに他方のクリップ１１ａ、１１ｂを越えて反対側へ突出した三角形状の突起部１２ａ、１２ｂを有している。この突起部１２ａ、１２ｂの先端１３ａ、１３ｂまでの高さｈは係止開口９の幅よりもほんの僅か小さく、それぞれが係止開口９を通過することができる（図７参照）また、各突起部１２ａ、１２ｂの先端１３ａ、１３ｂ間の係合幅ｄ（図７）は、係止開口９の幅よりも若干大きく設定されている。クリップ１１ａ、１１ｂの基端部１４ａ、１４ｂには、ベース部材６から若干離れた位置に前後両側へ突出するボス部１５ａ、１５ｂがそれぞれ形成されている。このような形状をした一対のクリップ１１ａ、１１ｂによりクリップ手段１６が構成されている。
【００２３】
また、ベース部材６の上下両端部付近には、それぞれ前後方向に沿う複数箇所にスリット１７、１８が形成されており、このスリット１７、１８に、断面湾曲形状をしたカバー部材７の下端部１９と上端部２０がそれぞれ挿入された状態で係合している。カバー部材７は、布の裏面に発泡ウレタン層とバッキング層（熱可塑性オレフィン系エラストマー／ＴＰＯ）を積層した構造で、全体として可撓性を有している。尚、可撓性を有していれば、積層を構成する各材料の単独或いは他の組み合わせで、カバー部材７を形成しても良い。
【００２４】
カバー部材７の表面には表皮材２１が接着され、カバー部材７自体が内装材を兼ねている。従って、エアバッグモジュール４を更に車室内側から別の内装材で覆う必要がなくなるため、車室内側への突出量が減って、乗員頭部付近の車室内空間を広く確保することができる。また、ルーフトリム２２と連続した外観が得られ、見映えが良い。
【００２５】
エアバッグモジュール４内に収納されたエアバッグ５の端部からは、引出開口１０に対応する部分に、引出開口１０に相当する幅の引出片２３が形成されている。引出片２３は先端が２枚に分かれており、それぞれに各クリップ１１ａ、１１ｂに対応する係合孔２４ａ、２４ｂが形成されている。
【００２６】
そして、この引出片２３はベース部材６の引出開口１０からベース部材６の外へ引き出され、各係合孔２４ａ、２４ｂを対応するクリップ１１ａ、１１ｂに通して、その基端部１４ａ、１４ｂに係合させている。係合させた引出片２３は、係合孔２４ａ、２４ｂ周辺が基端部１４ａ、１４ｂに形成されたボス部１５ａ、１５ｂとベース部材６との間に挟まれて、位置ずれが防止される。
【００２７】
次に、この実施形態の作用を説明する。
【００２８】
エアバッグモジュール４の取付け作業（図４、図７、図９、図１０参照）：
一対のクリップ１１ａ、１１ｂの先端１３ａ、１３ｂ間の係合幅ｄが、サイドルーフレール１の係止開口９の幅よりも若干大きい程度のため、一対のクリップ１１ａ、１１ｂをそのまま係止開口９内に押し込むことにより、係止開口９に対して係合させることができる。
【００２９】
クリップ１１ａ、１１ｂを最初に押し込んだ際に、突起部１２ａ、１２ｂが三角形状をしていることから、その一辺が係止開口９の縁部に対して斜めに当接し、各クリップ１１ａ、１１ｂを互いに離反する方向へ傾ける。そして、各突起部１２ａ、１２ｂの高さｈが係止開口９の幅よりもほんの僅か小さいことから、傾いた状態で係止開口９を通過し、通過後に弾性復元力により元の係合幅ｄに戻り、係止開口９の縁部に係合して、取付状態となる。このように、一対のクリップ１１ａ、１１ｂからなるクリップ手段１６を係止開口９に挿入するだけなので、エアバッグモジュール４を取付ける作業が容易である。
【００３０】
エアバッグモジュール４の取外し作業（図１１、図１２参照）：
メンテナンスのためにエアバッグモジュール４を取外す場合も、単にエアバッグモジュール４のクリップ手段１６を、係止開口９から引き抜けばよい。そうすることにより、突起部１２ａ、１２ｂの他方の辺が係止開口９の縁部に当接し、取付けの場合と同様に、各クリップ１１ａ、１１ｂが互いに離反する方向へ傾いて、係止開口９を通過することができる。このように、取外し作業も、クリップ手段１６を係止開口９からそのまま引き抜くだけで良いため、エアバッグモジュール４の取外し作業が容易である。
【００３１】
エアバッグ５の展開時（図５、図８参照）：
車両の側面衝突時には、インフレータ８のガスがエアバッグ５内に噴射され、エアバッグ５が膨張する。その膨張力より、カバー部材７の下端部１９が、ベース部材６の下側のスリット１７から離脱し、そのまま車室内側に押し開かれる。
【００３２】
この時、カバー部材７は可撓性を有しているため、下側部分から車室内側へ変形して、エアバッグ５が下方へ向けてカーテン状に展開するのを許容する。下方へ展開したエアバッグ５により、乗員Ｍの頭部付近を保護することができる。
【００３３】
エアバッグ５の展開時には、エアバッグ５が下方へ膨張する際の勢いや、エアバッグ５で乗員Ｍの頭部を受け止める際に、エアバッグ５に下向きの引張力Ｆが加わる。その引張力Ｆは、引出片２３の係合孔２４ａ、２４ｂを介して、クリップ１１ａ、１１ｂの基端部１４ａ、１４ｂに加わり、クリップ１１ａ、１１ｂを互いに接近する方向へ傾ける。そうすると、突起部１２ａ、１２ｂの先端１３ａ、１３ｂ間の係合幅Ｄが拡大して、クリップ手段１６の係止開口９に対する係合力が増加し、エアバッグ５の膨張時における車体への十分な取付強度を確保することができる。
【００３４】
また、クリップ１１ａ、１１ｂの基端部１４ａ、１４ｂに形成したボス部１５ａ、１５ｂにより、引出片２３の係合孔２４ａ、２４ｂ周辺を押さえ込み、クリップ１１ａ、１１ｂの基端部１４ａ、１４ｂに対する引出片２３の位置ずれが防止されているため、引出片２３からの引張力Ｆをクリップ１１ａ、１１ｂの基端部１４ａ、１４ｂに対して確実に及ぼすことができる。
【産業上の利用可能性】
【００３５】
エアバッグモジュール４のカバー部材７を内装材兼用にしたが、エアバッグモジュール４の更に車室内側に別の内装材を設けても良い。その場合、その内装材もカバー部材７と一緒にエアバッグ５の膨張により車室内側に押し開かれ、エアバッグ５の下方へ展開を許容する。
【図面の簡単な説明】
【００３６】
【図１】本発明の一実施例に係る側突用エアバッグ装置を車室内側から見た側面図。
【図２】エアバッグを下方へ展開した状態を示す図１相当の側面図。
【図３】図１中矢示ＳＡ−ＳＡ線に沿う断面図。
【図４】エアバッグモジュールを取付ける際の状態を示す図３相当の断面図。
【図５】エアバッグを下方へ展開した状態を示す図３相当の断面図。
【図６】図５のクリップ手段周辺の構造を示す分解斜視図。
【図７】図６のクリップ手段の通常状態を示す断面図。
【図８】図６のクリップ手段の係合幅が拡大した状態を示す断面図。
【図９】図６のクリップ手段の取付け初期状態を示す断面図。
【図１０】図６のクリップ手段の取付け時において係止開口を通過する状態を示す断面図。
【図１１】図６のクリップ手段の取外し時において係止開口を通過する状態を示す断面図。
【図１２】図６のクリップ手段の取外し完了状態を示す断面図。
【符号の説明】
【００３７】
１  サイドルーフレール（車体内壁）
４  エアバッグモジュール
５  エアバッグ
６  ベース部材
７  カバー部材
９  係止開口
１０  引出開口
１１ａ、１１ｂ  クリップ
１２ａ、１２ｂ  突起部
１３ａ、１３ｂ  先端
１４ａ、１４ｂ  基端部
１５ａ、１５ｂ  ボス部
１６  クリップ手段
２３  引出片
２４ａ、２４ｂ  係合孔
Ｍ  乗員
ｈ  突起部の高さ
ｄ  係合幅（小）
Ｄ  係合幅（大）
Ｆ  引張力
【図１】
2005219524.tif 000003
【図２】
2005219524.tif 000004
【図３】
2005219524.tif 000005
【図４】
2005219524.tif 000006
【図５】
2005219524.tif 000007
【図６】
2005219524.tif 000008
【図７】
2005219524.tif 000009
【図８】
2005219524.tif 000010
【図９】
2005219524.tif 000011
【図１０】
2005219524.tif 000012
【図１１】
2005219524.tif 000013
【図１２】
2005219524.tif 000014